(57)【要約】      （修正有）【課題】短時間で入会することが可能な会員カード発行システムおよび会員カード発行方法を提供する。【解決手段】氏名、住所などの個人情報を入力する手段を備え、個人情報の識別コードを作成するとともに、携帯電話４との間で識別コード３の授受を行う識別コード作成装置２と、識別コード作成装置２より受け取った３識別コードを記憶するデータ記憶部、およびこのデータ記憶部より識別コードを読み出して表示する携帯電話４と、携帯電話４に表示された識別コード３を読み取る読取手段７と、読取られた識別コードより個人情報を印字発行手段８で印字できる印字情報コマンドに解析・設定する解析設定手段と、解析設定手段によって解析・設定された印字情報コマンドに基づき会員申込書１０と会員カード１１を連接させて印字・発行させる印字発行手段８とを備え、識別コードを読み取ることにより、個人情報入りの会員申込書および会員カードを印字・発行する。【選択図】        図１
2006285555.tif 000002
【特許請求の範囲】
【請求項１】
携帯電話を用いて印字発行手段より会員申込書および会員カードを印字情報コマンドに基づき印字・発行する会員カード発行システムであって、
氏名、住所などの個人情報を入力する入力手段を備え、入力された前記個人情報の識別コードを作成するとともに、前記携帯電話との間で前記識別コードの授受を行う識別コード作成装置と、
前記識別コード作成装置より受け取った前記識別コードを記憶するデータ記憶部、およびこのデータ記憶部より前記識別コードを読み出して表示する表示部を備えた携帯電話と、  
前記携帯電話の表示部に表示された前記識別コードを読み取る読取手段と、
前記読取手段により読取られた前記識別コードより個人情報を前記印字発行手段で印字できる前記印字情報コマンドに解析・設定する解析設定手段と、
前記解析設定手段によって解析・設定された前記印字情報コマンドに基づき会員申込書と会員カードを連接させて印字・発行させる印字発行手段と、を備え、
前記読取手段によって識別コードを読み取ることにより、
個人情報入りの会員申込書および前記会員カードを印字・発行することを特徴とする会員カード発行システム。
【請求項２】
前記識別コードは、二次元コードであることを特徴とする請求項１記載の会員カード発行システム。
【請求項３】
前記解析設定手段では、会員番号と会員カードの使用期限を付加することで前記印字情報コマンドに解析設定することを特徴とする請求項１記載の会員カード発行システム。
【請求項４】
携帯電話を用いて印字発行手段より会員申込書および会員カードを印字情報コマンドに基づき印字・発行する会員カード発行方法であって、
氏名、住所などの個人情報を入力する入力手段を備え、入力された前記個人情報の識別コードを作成するとともに、前記携帯電話との間で前記識別コードの授受を行う識別コード作成ステップと、
前記携帯電話に備えられる、前記識別コード作成ステップより受け取った前記識別コードを記憶するデータ記憶ステップ、およびこのデータ記憶ステップにより記憶された前記識別コードを読み出して表示部に表示する識別コード表示ステップと、
前記携帯電話の表示部に表示された前記識別コードを読取る読取ステップと、
前記読取ステップにより読取られた前記識別コードを印字できるように印字情報コマンドに解析・設定する解析設定ステップと、
前記解析設定ステップによって解析・設定された印字情報コマンドに基づき個人情報を印字する際、会員申込書と会員カードを連接させて印字・発行させる印字発行ステップと、を有することを特徴とする会員カード発行方法。
【請求項５】
前記解析設定ステップには、会員番号と会員カードの使用期限を付加することで前記印字情報コマンドに解析・設定するステップがあることを特徴とする請求項４記載の会員カード発行方法。
【発明の詳細な説明】
【技術分野】
【０００１】
本発明は、会員カード、ポイントカードなどの発行に際し、特に、入会の手続きの簡略化に着目した会員カード発行システムおよび会員カード発行方法に関する。
【背景技術】
【０００２】
買い物やジム、アミューズメントパークなどでは、同業他社と差別を図るため、また、同施設を再び利用してもらえるような顧客獲得のために、会員制のカードを発行するサービスを行っている。顧客が会員カードを作成すると、提携店、施設内で買い物をしたり、施設を利用することにより、ポイントがたまり、配送無料などのサービスが顧客に提供される仕組みとなっている。
買い物をした際などに、店員が客にカードの会員にならないかと勧誘をし、了承した客に個人情報を記入する会員申込書用紙を渡す。客は用紙に個人情報を記入する。用紙に記入が完了したら、店員がファイルにファイリングして保管する（例えば、特許文献１参照）。その際に会員番号を付与し、用意されている会員カードに会員番号と名前を記入した会員カードを発行し客に渡す。または、個人情報を記入した用紙を後日郵送し、手続き完了後会員カードが自宅に届くという一連の流れとなっている。
また、近年携帯電話自体にポイントカードの機能を搭載するシステムもあるが、普及にはまだ時間がかかる。
【特許文献１】実開平６−１２０６９号公報
【発明の開示】
【発明が解決しようとする課題】
【０００３】
しかしながら、会員カードを作成するには、個人情報を記入する作業が発生する。この個人情報の記入自体、大変手間のかかるものであり、時間も取られる。さらには郵送しなければならないとなると、面倒になり、店員に勧誘されても断ってしまう客は多い。
そこで、短時間で入会することが可能な会員カード発行システムおよび会員カード発行方法を提供することを目的とする。
【課題を解決するための手段】
【０００４】
第１の発明に係る会員カード発行システムは、携帯電話を用いて印字発行手段より会員申込書および会員カードを印字情報コマンドに基づき印字・発行する会員カード発行システムであって、氏名、住所などの個人情報を入力する入力手段を備え、入力された前記個人情報の識別コードを作成するとともに、前記携帯電話との間で前記識別コードの授受を行う識別コード作成装置と、前記識別コード作成装置より受け取った前記識別コードを記憶するデータ記憶部、およびこのデータ記憶部より前記識別コードを読み出して表示する表示部を備えた携帯電話と、前記携帯電話の表示部に表示された前記識別コードを読み取る読取手段と、前記読取手段により読取られた前記識別コードより個人情報を前記印字発行手段で印字できる前記印字情報コマンドに解析・設定する解析設定手段と、前記解析設定手段によって解析・設定された前記印字情報コマンドに基づき会員申込書と会員カードを連接させて印字・発行させる印字発行手段と、を備え、前記読取手段によって識別コードを読み取ることにより、個人情報入りの会員申込書および前記会員カードを印字・発行することを特徴とする。
また、識別コードは、二次元コードであるようにできる。
また、解析設定手段では、会員番号と会員カードの使用期限を付加することで印字情報コマンドに解析・設定するようにできる。
さらに、第２の発明に係る会員カード発行方法は、携帯電話を用いて印字発行手段より会員申込書および会員カードを印字情報コマンドに基づき印字・発行する会員カードの発行方法であって、氏名、住所などの個人情報を入力する入力手段を備え、入力された前記個人情報の識別コードを作成するとともに、前記携帯電話との間で前記識別コードの授受を行う識別コード作成ステップと、前記携帯電話に備えられる、前記識別コード作成ステップより受け取った前記識別コードを記憶するデータ記憶ステップ、およびこのデータ記憶ステップにより記憶された前記識別コードを読み出して表示部に表示する識別コード表示ステップと、前記携帯電話の表示部に表示された前記識別コードを読取る読取ステップと、前記読取ステップにより読取られた前記識別コードを印字できるように印字情報コマンドに解析・設定する解析設定ステップと、前記解析設定ステップによって解析・設定された印字情報コマンドに基づき個人情報を印字する際、会員申込書と会員カードを連接させて印字・発行させる印字発行ステップと、を有することを特徴とする。
また、解析設定ステップには、会員番号と会員カードの使用期限を付加することで印字情報コマンドに解析・設定するステップがあるようにできる。
【発明の効果】
【０００５】
識別コード作成装置を介して、携帯電話に個人情報の含まれた識別コードを記憶するとともに必要に応じて表示し、会員カードを発行する際に、携帯電話に表示した識別コードを読取装置で読取るだけで、会員カードを発行することができるようにしたので、顧客が会員申込書に記入する手間がなく、大変簡易に入会手続きをすることが可能となり、新規入会の増加が期待できるという効果がある。
また、会員カード発行時に、会員申込書も同時に印字・発行されるため、顧客が会員申込書を記入しなくとも、会員申込書を発行者側がファイリングすることが可能となる。
【発明を実施するための最良の形態】
【０００６】
以下、本発明の実施の形態による会員カード発行システム、および発行方法を図１ないし図１２に基づき説明する。
【０００７】
図１は、プリンタを用いた本発明の会員カード発行システムの一実施の形態の構成例を示す概略説明図である。
図１に示すように、会員カード発行システム１は、個人情報を二次元コード化する二次元コード作成装置２と、二次元コード作成装置２により作成された二次元コード３をディスプレイ５に表示させる携帯電話４と、携帯電話４のディスプレイ５に表示させた二次元コード３を読取る読取装置としての二次元スキャナ（以下、適宜、単に「スキャナ」と称す）７と、スキャナ７に接続された会員カード発行プリンタ(以下、適宜、単に「プリンタ」と称す)８とを備えている。
二次元コード作成装置２は、「識別コード」としての二次元コードを作成する「識別コード作成装置」であり、操作画面５０と、図示しない「入力手段」であるキーボードを備えており、さらに携帯電話４との間でデータの授受が行えるようになっている。操作画面５０の指示どおりにキーボードより入力されたデータを二次元コード化して携帯電話４に出力するようになっている。すなわち、操作画面５０には個人情報、たとえば、氏名、住所、電話番号等の入力を促す表示を行い、この表示にしたがって入力された個人情報（図示省略）の二次元コードを作成して携帯電話４に送信できるようになっている。二次元コード作成装置２で作成された二次元コード３はメールに添付する送信形態、または直接携帯電話４を二次元コード作成装置２に接続しダウンロードさせる形態、など既知の形態により携帯電話４にデータとして記憶させることができるようになっている。
携帯電話４側では二次元コード３をデータとして受信すると、図示省略のデータ記憶部に記憶する。つまり、携帯電話４に個人情報が含まれた二次元コード３を記憶させることができる。そして、データ記憶部から二次元コード３を呼び出すことにより、図示省略の個人情報を二次元コード３として「表示部」としてのディスプレイ５に表示できるようになっている。
また、「読取手段」としてのスキャナ７で二次元コード３を読み取ることで、スキャナ７に接続されているプリンタ８により個人情報を含んだ発行用紙９が印字・発行される。そのときに、発行用紙９は、会員申込書１０と会員カード１１が隣接されてプリンタ８から印字・発行される。
なお、二次元コードの作成手順などの詳細は、後述する。
【０００８】
図２は、「印字発行手段」としてのプリンタ８の概略説明図である。同図に示すように、プリンタ８は後述する用紙連続体４０を装着する供給軸１２と、検出手段としての反射センサ１３と、印字手段としての印字部１４と、制御部１５と、を備える。
反射センサ１３は、所定の光を出射する発光部１３ａと、発光部１３ａから出射された光の用紙連続体４０からの反射光を受光し、受光した光の強度（単位時間当たりの受光量）に対応する電気信号を出力する受光部１３ｂとからなり、用紙連続体４０の裏面に前記発光部１３ａと受光部１３ｂを配し、用紙連続体４０の裏面に印刷等によって形成された後述の識別マーク４２（図４、図５等参照）を、受光部１３ｂの受光量に基づいて検出する位置検出用のセンサである。
印字部１４は、印字ヘッド１６およびプラテンローラ（以下、適宜、単に「プラテン」と称す）１７を備えており、プラテン１７は、ベルト１８を介してステッピングモータ１９に接続されている。また、印字ヘッド１６は、所望の印字データ（図示省略）を用紙連続体４０に印字できるようになっている。
また、制御部１５は、前記各部と接続されており、各部の動作が制御できるようになっている。
なお、供給軸１２に装着した用紙連続体４０は、反射センサ１３を経て印字ヘッド１６およびプラテン１７の間に引出し、印字ヘッド１６とプラテン１７とにより挟持し、ベルト１８を介してステッピングモータ１９の回転を伝達してプラテン１７を回転させることにより下流側へと搬送するようになっている。
【０００９】
図３は、図２の実施の形態の電気的な構成例を示すブロック図である。同図に示すように、本実施の形態は、主に、各部を制御するＣＰＵ（ｃｅｎｔｒａｌ  ｐｒｏｃｅｓｓｉｎｇ  ｕｎｉｔ）２１と、ＣＰＵ２１の動作を制御する制御プログラムや各種データを記憶するＲＯＭ（ｒｅａｄ  ｏｎｌｙ  ｍｅｍｏｒｙ）２２と、一時的にデータなどを記憶するＲＡＭ（ｒａｎｄｏｍ  ａｃｃｅｓｓ  ｍｅｍｏｒｙ）２３と、印字ヘッド１６を制御する印字制御部２４と、ステッピングモータ１９を制御するモータ制御部２５と、反射センサ１３の信号を制御するセンサ制御部２６と、二次元スキャナ７を制御するスキャナ制御部２７と、色々な色のＬＥＤ（Ｌｉｇｈｔ  ｅｍｉｔｔｉｎｇ  ｄｉｏｄｅ）、いわゆる、発行ダイオードの点滅により動作状態を表す表示器２８と、表示器２８を制御する表示制御部２９と、オプションとして、外部機器、例えば、パソコン(以下、適宜、単に、「ＰＣ」と称す)３６との間でデータの授受を可能としたインタフェース部３０と、このインタフェース部３０を制御する外部インタフェース制御部３１と、を備える。
なお、３２はバッテリを、また、３４は時計機構を、各々示す。
また、ＲＡＭ２３内には、発行用紙９を発行したのちの会員番号に１足した数を記憶する発行済会員番号記憶エリア３３と、プリンタ８内蔵の前記時計機構３４の情報から所定期間を計算しその日時を記憶する使用期限計算記憶エリア３５とが設けられている。
【００１０】
続いて、図４、図５に基づき、印字・発行される前の発行用紙９について、つまり用紙連続体４０について説明する。
図４は、発行用紙９が印字・発行される前の用紙連続体４０を説明する概略斜視図である。図５は、印字前の用紙連続体４０における印字面側のプレ印刷の状態を示している。
主に、図４に示すように、用紙連続体４０は、巻き芯４１に用紙が巻かれており、かつ、識別マーク４２が等間隔で用紙連続体４０の裏面に付与されている。また、ミシン目４５、４６が施されている。
また、主に、図５に示すように、用紙連続体４０の印字面側は、会員申込書部４３と、会員カード部４４と、を備え、会員申込書部４３には、項目名（会員番号、氏名、生年月日、年齢、住所、電話番号、携帯番号、職業等）とともに、２重下線の引かれたフォーマットがプレ印刷されている。また、会員カード部４４は、ほぼ真ん中に折返線４７がプレ印字されている。会員カード部４４は折返線４７を境にしてポイント部４４ｂと個人情報印字部４４ａに区画される。ポイント部４４ｂはポイントカードとして使用できるように、「●千円で１ポイント」というポイントの説明表示とともに、１５個の星がプレ印刷されている。個人情報印字部４４ａには、サービスを行っている小売店名とその住所、電話番号とともに、氏名、会員番号、使用期限という項目名と、２重下線がプレ印刷されている。
そして、前記ミシン目４５により、会員申込書部４３と会員カード部４４とが区画・形成されており、さらに、ミシン目４６により次の会員申込部および会員カード部をプリンタ８に装着された用紙連続体４０に残したまま、会員申込書部４３および会員カード部４４の単位ごとに分離可能なようになっている。
【００１１】
次に、図６に従い、用紙連続体４０にプリンタ８によって印字・発行された発行用紙９について説明する。
前記用紙連続体４０は、印字部１４にて前記プレ印字された項目（会員番号、氏名、住所など）に従った所望の個人情報等が印字されたのち、図６に示す発行用紙９となる。プリンタ８は用紙連続体４０をフィードさせ、反射センサ１３が識別マーク４２を検出した後、印字が開始されて結果、発行用紙９が印字・発行される。印字された発行用紙９は、ミシン目４６（図４、図５参照）で切り取られる。発行用紙９は会員申込書１０と会員カード１１とで構成されており、会員カード１１は会員カード部１１ａとポイント部１１ｂとで構成される。そして、ミシン目４５で切り取ることにより、会員申込書１０と会員カード１１を分離させ、会員申込書１０は店の図示しない会員ファイルに綴じ込み、会員カード１１は顧客に渡す。会員カード１１は、会員カード部１１ａが表面側になるように折返線４７に合わせて半分に折ると、印字された会員カード部１１ａの裏面にポイント部１１ｂがくるように構成でき、財布などにも携帯しやすくなる。
【００１２】
次に、図７のフローチャートに従い、図８、図９、図１０を用いて二次元コード３を作成し携帯電話４にダウンロードする手順を説明する。
ステップＳ０１にて、二次元コード作成装置２にて、顧客が氏名、生年月日、年齢、住所、電話番号、携帯番号、職業などの個人情報を操作指示どおりに打ち込む。ここで図８ないし図９を参照して、ステップＳ０１の個人情報入力の詳細を説明する。図８は二次元コード作成装置２の操作画面５０に表示された内容である。「あなたの氏名は？」という表示の下に、入力欄５１が設けられ、図示しないキーボードにより顧客が氏名を入力する。入力が完了すると、順次操作画面５０の表示内容が変わり、例えば、図９では、「あなたの生年月日は？」との問いに対して、図示しないキーボードにより生年月日を顧客は入力する。そうして、操作指示どおりに二次元コード作成装置２に所定の個人情報の入力が行われる。
続いて、ステップＳ０２にて、打ち込まれた個人情報よりプリンタ８の書式に則った図１０のような二次元情報コマンド５３を作成する。つまり、二次元コード作成装置２は、顧客が個人情報を入力し終わると、末尾に氏名をもう一度印字する旨のコマンドを付け足す設定を行い、二次元情報コマンド５３を作成する。
ステップＳ０３にて、二次元情報コマンド５３に基づき「識別コード」としての二次元コード３を作成し、ステップＳ０４にて、前記作成した二次元コード３を携帯電話４の図示しないデータ記憶部に記憶させる。二次元コード３はＥメールで送信してもよいし、二次元コード作成装置２に携帯電話４を繋ぎ、直接ダウンロードしてもよい。
また、本実施の形態においては、二次元コード作成装置２を使用する例で説明したが、インターネットのホームページに、個人情報入りの二次元コードを作成できる二次元コード作成装置の役割であるソフトウェアをおいておき、それを使用して顧客が予め二次元コードを作成することによってもよい。また、所定の二次元コードを作成できる二次元コード作成装置の役割であるソフトウェア自体を携帯電話４にダウンロードし、携帯電話４内で二次元コード３を作成しデータ記憶部（図示省略）に記憶保存させてもよい。
また、二次元コード作成装置２は、専門店がたくさん入った大規模ショッピングセンターの入り口などに設置すると、識別コード（二次元コード３）にて標準化された個人情報が携帯電話４に記憶できるので一度、二次元コード作成装置２より入力して携帯電話４に記憶させるだけで専門店ごとの会員カードが、普及率の高い携帯電話を介して気軽に作成でき、大変便利である。
【００１３】
次に、二次元コード作成装置２にて作成される二次元コード３の二次元情報コマンド５３を図１０に従い詳説する。
同図に示すように、二次元情報コマンド５３は、コマンドの開始を示す“ＥＳＣ(エスケープコード)”と、コマンドの終了を示す“Ｚ”の間に各種の設定が行われており、“ＥＳＣ”に続いて、二次元コードの指定が設定されている。
また、前記二次元コードの指定に引き続いては、データが設定されており、データの先頭部分には、プリンタ８で印字したい内容が図示省略のＩＤとともにデータの開始位置、すなわち、開始の縦位置・横位置、文字種および文字サイズとともに設定され、これに続いて“Ｄ”のＩＤで定義された実データが設定されている。図示の例では、実データの１番目(二次元情報コマンド５３の２行目)は、漢字にて「特許  太郎」、次いで英数字で「９９９９  ９  ９    ００」、「１２３  ４５６７」、また漢字にて「東京都千代田区・・・」、次に英数字で「０１２３  ４５６  ７８９０」、「０８０  ４５６  ７８９０」、次に漢字にて、「会社員」「特許  太郎」がプリンタ８で印字したい個人情報を含めた二次元情報コマンド５３として設定されている。
二次元情報コマンド５３の２行目ないし８行目である「特許  太郎」から「会社員」までが二次元コード作成装置２にて顧客が入力することにより（図８、図９参照）作成される。しかし、もう一度氏名である「特許  太郎」を印字するコマンドが設定されている。これは、顧客が二次元コード作成装置２の指示どおりに最終まで入力し終わったとき、前述の図７のステップＳ０２で二次元情報コマンド５３を作成する際に、顧客が入力した氏名情報を末尾に再度付加するコマンドを自動的に含める設定が行われており、末尾に追加した氏名は、後述する会員カードの印字用として用いられる情報である（図６の会員カード１１ａ参照）。
前述したように、二次元コード作成装置２で作成された二次元情報コマンド５３は、プリンタ８より印字・出力する際の位置設定や文字種、文字サイズ、さらにはスペースなどを定義した「制御コマンド」に則った書式で作成されるものであり、プリンタ８では二次元情報コマンド５３を読取るだけで、所定フォーマットの出力（例えば、発行用紙９）ができるものである。
なお、同図の例では、説明の都合上、二次元情報コマンド５３を複数行に分けた例で説明したが、開始の縦位置・横位置、文字種、文字サイズの先頭に付加されたＩＤ(図示省略)と、実データのＩＤ(図示の例では、“Ｄ”)とにより区別がつくようになっているため、連続した設定が可能である。
【００１４】
次に、図１１に基づき、発行用紙９の発行手順につき説明する。
ステップＳ１０にて、携帯電話４の図示省略のデータ記憶部から二次元コード３を呼び出し、ディスプレイ５に個人情報が含まれた二次元コード３を表示させる。ステップＳ１１にて、二次元スキャナ７により携帯電話４のディスプレイ５に表示された二次元コード３を読取る。二次元コード３を読取ることにより、二次元情報コマンド５３を読み取ることとなる。
ステップＳ１２にて、読取った二次元コード３に含まれている個人情報である二次元情報コマンド５３をプリンタ８の前記「制御コマンド」（図示省略）に従い解析する。
続いて、ステップＳ１３にて二次元情報コマンド５３を印字情報コマンド５４に変換設定する。第一に、二次元情報コマンド５３の先頭の「ＥＳＣ」に続いて設定された「二次元コードの指定」部分を「紙の種類」「サイズの指定」などを含める設定作業を行なう。第二に、二次元情報コマンド５３のデータ部の頭である２行目に会員番号「１２３４５６７」を印字する制御コマンドを、データ部の末尾には会員番号「１２３４５６７」と使用期限「２０００１２３１」を印字する制御コマンドを含める設定作業を行なう。会員番号は発行済会員番号記憶エリア３３に記憶されている会員番号を、使用期限は使用期限計算記憶エリア３５に記憶されている使用期限を読み出して、付加する。このステップＳ１３の設定作業を行うことで、印字情報コマンド５４が設定される。すなわち、図１２に例示される印字情報コマンド５４の先頭部分には、発行済会員番号記憶エリア３３に記憶されている会員番号を英数字で「１２３４５６７」を、また、末尾には、先ほどの会員番号「１２３４５６７」続いて使用期限記憶エリア３８に記憶されている使用期限「２０００１２３１」を、各々印字するコマンドを含める設定が行われる。前記二次元コード３の解析、会員番号の自動付番、使用期限の追加などの一連の設定は、プリンタ８のＲＯＭ２２に格納されている図示省略の「解析設定手段」としての解析設定プログラム（図示省略）により実行されるようになっている。
ステップＳ１４にて印字情報コマンド５４に従い、プリンタ８にて会員申込書１０と会員カード１１が連なった状態で発行用紙９を印字・発行する。
そして、ステップＳ１５にて、発行した発行用紙９の会員番号に１足した情報をＲＡＭ２３の発行済会員番号記憶エリア３３に記憶して処理を終了する。
【００１５】
なお、発行済会員番号記憶エリア３３に記憶された会員番号は、発行用紙９の発行が終了した時点で、外部インタフェース制御部３１およびインタフェース部３０を介してパソコン３６に送信することができるようになっており、顧客管理を行っているパソコン３６に送信することで、発行用紙９を発行した会員の管理ができるようになっている。
【００１６】
前述したように、携帯電話４のディスプレイ５に表示された二次元コード３は、紙の種類やサイズの指定、開始位置(縦位置、横位置)、文字種、文字サイズ、改行などの制御コマンドを含んでおり、プリンタ８に接続されたスキャナ７で読取るだけでプリンタ８より印字情報コマンド５４に従った発行用紙９が印字、発行できるため、パソコン３６が不要であり、現在所有率が高い携帯電話４を介して簡単に発行用紙９が発行できるものである。
【００１７】
このようにして、図６の発行用紙９を印字・発行するためには、図１に示すように、プリンタ８に接続されたスキャナ７にて、携帯電話４のディスプレイ５に表示された個人情報を含む二次元コード３を読取るだけでよく、スキャナ７を介して前記のような二次元コード３を受取ると、ＲＯＭ２２に設定された「制御コマンド」一覧(図示省略)に従いＣＰＵ２１を介し印字部１４などを作動して発行用紙９を作成、発行するものである。
【００１８】
次に、図１３、図１４に従い、用紙連続体の他の実施の形態につき説明する。
なお、従来と同様の部分には同一符合を付すに止め、詳説を省略する。
用紙連続体６０は、会員申込書部４３と、会員カード部６１とが連なってプレ印字されている。また、会員カード部６１には、会員カードが２枚同時に発行することができるように、ミシン目６３を境に二枚並んでプレ印字されている。    また、図１４は図１３の裏面を示した概略説明図であるが、用紙連続体６０裏面にはポイント部６２がそれぞれ設けられ、星のマークが１５個プレ印字されており、ポイントカードとしての機能で使用できるようになっている。
このような構成にすることにより、印字・発行時にはミシン目４５とミシン目６３を利用して二枚ある会員カードの一枚６１ａのみを切り取り顧客に渡すことができる。会員申込書４３ともう一方の会員カード６１ｂは一体となって店側でファイリングでき、顧客が二枚目の会員カードが必要となった時に便利であり、顧客の会員カード利用状況も理解することが出来る。
他の構成、作用、効果については、先の実施の形態とほぼ同様につき、詳説を省略する。
【００１９】
なお、上記実施の形態の構成及び動作は例であって、本発明の趣旨を逸脱しない範囲で適宜変更することができることは言うまでもない。
例えば、プリンタ８で用いる会員カード発行用の媒体として用紙連続体４０を用いた例で説明したが、これに限定されないことは勿論であり、ラベルが台紙に仮着された、いわゆる台紙つきラベルでもよいし、台紙のない、台紙なしラベルであっても構わない。粘着剤が塗布されていることにより、プラスチック製などの無地のカードに会員カードとして印字されたラベルを貼付することにより使用するようにしてもよい。
また、本実施の形態においては、会員番号、氏名、住所などの項目名は予めプレ印字されている内容で説明したが、プリンタ８により個人情報等を印字する際に、二次元情報コマンド５３や印字情報コマンド５４自体に「氏名」「住所」などの項目名と２重下線の情報も含めて同時に印字してもよい。
【図面の簡単な説明】
【００２０】
【図１】本発明に係る会員カード発行システムの一実施の形態による構成例を示す概略説明図である。
【図２】同、会員カード発行プリンタの一実施の形態の概略説明図である。
【図３】同、図２の電気的な構成例を示すブロック図である。
【図４】発行用紙８の印字前の用紙連続体を説明する概略斜視図
【図５】同、図４の印字前の用紙連続体の詳細概略説明図である。
【図６】同、用紙連続体に印字した会員申込書および会員カードの概略説明図である。
【図７】同、携帯電話に二次元コードを作成記憶させる手順を示すフローチャートである。
【図８】同、二次元コード作成装置の操作画面の一例を示す概略説明図である。
【図９】同、二次元コード作成装置の操作画面の他の例を示す概略説明図である。
【図１０】同、二次元コード作成装置にて作成される二次元コード３の二次元情報コマンドの説明図である。
【図１１】同、発行用紙の発行手順を示すフローチャートである。
【図１２】同、会員カード発行プリンタにて使用する印字情報コマンドの説明図である。
【図１３】同、印字前の会員申込書および会員カードの第二の実施例の概略説明図である。
【図１４】同、図１３の裏面の概略説明図である。
【符号の説明】
【００２１】
１            会員カード発行システム
２            二次元コード作成装置(識別コード作成装置)
３            二次元コード(識別コード)
４            携帯電話
５            ディスプレイ(表示部)
７            二次元スキャナ(読取手段)
８            会員カード発行プリンタ(印字発行手段)
９            発行用紙（第一実施例）
１０            会員申込書
１１            会員カード
１１ａ  会員カード部
１１ｂ  ポイント部
１２            供給軸
１３            反射センサ
１３ａ  発光部
１３ｂ  受光部
１４            印字部
１５            制御部
１６            印字ヘッド
１７            プラテンローラ
１８            ベルト
１９            ステッピングモータ
２１            ＣＰＵ
２２            ＲＯＭ
２３            ＲＡＭ
２４            印字制御部
２５            モータ制御部
２６            センサ制御部
２７            スキャナ制御部
２８            表示器（ＬＥＤ）
２９  表示制御部
３０            インタフェース部
３１            外部インタフェース制御部
３２            バッテリ
３３            発行済会員番号記憶エリア
３４            時計機構
３５            使用期限計算記憶エリア
３６  パソコン（ＰＣ）
４０  用紙連続体（第一実施例）
４１  巻き芯
４２  識別マーク
４３  会員申込書部
４４  会員カード部
４４ａ  個人情報印字部
４４ｂ  ポイント部
４５  ミシン目
４６  ミシン目
４７  折返線
５０            操作画面
５１            入力欄
５３  二次元情報コマンド
５４  印字情報コマンド
６０            用紙連続体（第二実施例）
６１            会員カード部
６１ａ  会員カード部
６１ｂ  会員カード部
６２            ポイント部
６３  ミシン目
【図１】
2006285555.tif 000003
【図２】
2006285555.tif 000004
【図３】
2006285555.tif 000005
【図４】
2006285555.tif 000006
【図５】
2006285555.tif 000007
【図６】
2006285555.tif 000008
【図７】
2006285555.tif 000009
【図８】
2006285555.tif 000010
【図９】
2006285555.tif 000011
【図１０】
2006285555.tif 000012
【図１１】
2006285555.tif 000013
【図１２】
2006285555.tif 000014
【図１３】
2006285555.tif 000015
【図１４】
2006285555.tif 000016